(57)【要約】  電源インタフェース（１００）、モバイル端末及び電源アダプタであって、電源インタフェース（１００）は本体部（１１０）、データピンｐｉｎ（１２０）、電源ピンｐｉｎ（１３０）及び絶縁間隔層１３９を備える。本体部（１１０）は回路基板との接続に適し、データピンｐｉｎ（１２０）が隔てられている複数であって、本体部（１１０）に接続される。電源ピンｐｉｎ（１３０）が隔てられている複数であって、本体部（１１０）に接続されてもよい。電源ピンｐｉｎ（１３０）及びデータピンｐｉｎ（１２０）が間隔を置いて配置されており、複数の電源ピンｐｉｎ（１３０）のうち少なくとも１つが広幅領域（１３２）を含み、電源ピンｐｉｎ（１３０）の電流負荷量を増加させるように、広幅領域（１３２）の断面積をデータピンｐｉｎ（１２０）の断面積より大きくする。
2019530133.tif 000002
【特許請求の範囲】
【請求項１】
電源インタフェースであって、
回路基板との接続に適する本体部と、
前記本体部に接続され、互いに隔てられている複数のデータピンｐｉｎと、
前記本体部に接続され、前記データピンｐｉｎと隔てられ、互いに隔てられている複数の電源ピンｐｉｎであって、前記複数の電源ピンｐｉｎのうち少なくとも１つが広幅領域を含み、前記電源ピンｐｉｎの電流負荷量を増加させるように、前記広幅領域の断面積を前記データピンｐｉｎの断面積より大きくし、前記広幅領域の前記電源ピンｐｉｎ先端の近傍位置に凹部が設けられ、前記凹部の内壁面にザラザラ部が設けられる、電源ピンｐｉｎと、
前記凹部内に敷設される絶縁間隔層と、を備えることを特徴とする、電源インタフェース。
【請求項２】
前記広幅領域の断面積がＳであり、前記Ｓ≧０．０９８０５ｍｍであることを特徴とする
請求項１に記載の電源インタフェース。
【請求項３】
前記Ｓ＝０．１３１２５ｍｍ２であることを特徴とする
請求項２に記載の電源インタフェース。
【請求項４】
前記電源ピンｐｉｎの厚さがＤであり、前記Ｄが０．１ｍｍ≦Ｄ≦０．３ｍｍという条件に満たすことを特徴とする
請求項１〜３のいずれか１項に記載の電源インタフェース。
【請求項５】
前記Ｄ＝０．２５ｍｍであることを特徴とする
請求項４に記載の電源インタフェース。
【請求項６】
前記広幅領域の幅がＷ１であり、前記凹部の前記広幅領域における幅がＷ２であり、前記Ｗ１と前記Ｗ２とが、０．２４ｍｍ≦Ｗ１−Ｗ２≦０．３２ｍｍという条件を満たすことを特徴とする
請求項１〜５のいずれか１項に記載の電源インタフェース。
【請求項７】
前記Ｗ１−Ｗ２＝０．２５ｍｍであることを特徴とする
請求項６に記載の電源インタフェース。
【請求項８】
前記凹部が１つであり、前記広幅領域の第１側壁に位置し、前記第１側壁が導電部材との電気的接続に適することを特徴とする
請求項１〜７のいずれか１項に記載の電源インタフェース。
【請求項９】
前記凹部が２つであり、２つの前記凹部がそれぞれ前記広幅領域の第１側壁及び第２側壁に位置し、前記第１側壁が導電部材との電気的接続に適し、前記第２側壁が前記第１側壁に対向して設置され、２つの前記凹部が前記広幅領域の幅方向に間隔を置いて配置されていることを特徴とする
請求項１〜８のいずれか１項に記載の電源インタフェース。
【請求項１０】
前記凹部が前記広幅領域の少なくとも片側の側壁を貫通することを特徴とする
請求項１〜９のいずれか１項に記載の電源インタフェース。
【請求項１１】
前記広幅領域の前記凹部により貫通された側壁が第１壁面であり、前記凹部の前記広幅領域を貫通した壁面が第２壁面であり、前記第１壁面と前記第２壁面との交差位置に面取りが設けられることを特徴とする
請求項１０に記載の電源インタフェース。
【請求項１２】
前記凹部内に絶縁間隔層が充填されていることを特徴とする
請求項１〜１１のいずれか１項に記載の電源インタフェース。
【請求項１３】
前記ザラザラ部が突起部又は溝に形成されることを特徴とする
請求項１〜１２のいずれか１項に記載の電源インタフェース。
【請求項１４】
前記ザラザラ部がザラザラ面に形成されることを特徴とする
請求項１〜１３のいずれか１項に記載の電源インタフェース。
【請求項１５】
前記広幅領域が前記電源ピンｐｉｎの中央に位置することを特徴とする
請求項１〜１４のいずれか１項に記載の電源インタフェース。
【請求項１６】
モバイル端末であって、
請求項１〜１５のいずれか１項に記載の電源インタフェースを備えることを特徴とする、モバイル端末。
【請求項１７】
電源アダプタであって、
請求項１〜１５のいずれか１項に記載の電源インタフェースを備えることを特徴とする、電源アダプタ。
【発明の詳細な説明】
【技術分野】
【０００１】
本発明は通信技術分野に関し、具体的には、特に電源インタフェース、モバイル端末及び電源アダプタに関する。
【背景技術】
【０００２】
時代の進歩に伴って、インターネット及び移動体通信ネットワークは大量の機能アプリケーションを提供する。ユーザーはモバイル端末を利用して従来のアプリケーションを行い、例えば、スマートフォンを利用して電話をかけること、または受けることができるだけでなく、同時に、ユーザーは更にモバイル端末を利用してホームページのブラウジング、画像の伝送、ゲーム等を行うことができる。
【０００３】
モバイル端末を利用して何かしらを処理するとともに、モバイル端末の利用頻度が増加するため、モバイル端末の電池の電量を大量に消費し、従ってしょっちゅう充電する必要があり、生活リズムの加速化、特に緊急事態が頻繁化になるため、ユーザーがモバイル端末の電池に大電流で充電できるように望まれている。
【発明の概要】
【発明が解決しようとする課題】
【０００４】
本発明の目的は少なくとも関連技術の技術的問題の１つをある程度で解決することである。このため、本発明は確実に接続でき、迅速に充電できるという利点を有する電源インタフェースを提供する。
【課題を解決するための手段】
【０００５】
本発明は更に以上に記載の電源インタフェースを備えるモバイル端末を提供する。
【０００６】
本発明は更に以上に記載の電源インタフェースを備える電源アダプタを提供する。
【０００７】
本発明の実施例に係る電源インタフェースであって、回路基板との接続に適する本体部と、前記本体部に接続される複数の隔てられているデータピンｐｉｎと、前記本体部に接続されて、前記データピンｐｉｎと隔てられており、複数の電源ピンｐｉｎのうち少なくとも１つが広幅領域を含み、電源ピンｐｉｎの電流負荷量を増加させるように、前記広幅領域の断面積を前記データピンｐｉｎの断面積より大きくし、前記広幅領域の前記電源ピンｐｉｎ先端の近傍位置に凹部が設けられ、前記凹部の内壁面にザラザラ部が設けられる複数の隔てられている電源ピンｐｉｎと、前記凹部内に敷設される絶縁間隔層と、を備える。
【０００８】
本発明の実施例に係る電源インタフェースであって、電源ピンｐｉｎに広幅領域を設置することにより、電源ピンｐｉｎの電流負荷量を増加させることができ、それにより電流の伝送速度を向上させ、電源インタフェースに高速充電機能を有させ、電池への充電効率を向上させることができる。また、広幅領域に凹部を設置して、凹部内にザラザラ部を設置することにより、絶縁間隔層と凹部との接触面積を増加させることができ、それにより絶縁間隔層を凹部内に安定して付着させることができる。
【０００９】
本発明の実施例に係るモバイル端末であって、以上に記載の電源インタフェースを備える。
【００１０】
本発明の実施例に係るモバイル端末であって、電源ピンｐｉｎに広幅領域を設置することにより、電源ピンｐｉｎの電流負荷量を増加させることができ、それにより電流の伝送速度を向上させ、電源インタフェースに高速充電機能を有させ、電池への充電効率を向上させることができる。
【００１１】
本発明の実施例に係る電源アダプタであって、以上に記載の電源インタフェースを有する。
【発明の効果】
【００１２】
本発明の実施例に係る電源アダプタは、電源ピンｐｉｎに広幅領域を設置することにより、電源ピンｐｉｎの電流負荷量を増加させることができ、それにより電流の伝送速度を向上させ、電源インタフェースに高速充電機能を有させ、電池への充電効率を向上させることができる。
【図面の簡単な説明】
【００１３】
【図１】本発明の実施例に係る電源インタフェースの部分構造図である。
【図２】本発明の実施例に係る電源インタフェースの分解図である。
【図３】図２におけるＡ箇所の部分拡大図である。
【図４】本発明の実施例に係る電源インタフェースの断面図である。
【図５】図４におけるＢ箇所の部分拡大図である。
【図６】本発明の実施例に係る電源インタフェースの電源ピンｐｉｎの構造模式図である。
【図７】本発明の実施例に係る電源インタフェースの電源ピンｐｉｎの構造模式図である。
【図８】本発明の実施例に係る電源インタフェースの電源ピンｐｉｎの構造模式図である。
【図９】本発明の実施例に係る電源インタフェースの電源ピンｐｉｎの構造模式図である。
【図１０】本発明の実施例に係る電源インタフェースの電源ピンｐｉｎの構造模式図である。
【発明を実施するための形態】
【００１４】
以下に本発明の実施例を詳しく説明し、図面に前記実施例の例を示す。以下に図面を参照して説明する実施例は例示的なものであり、本発明を解釈するためのものであって、本発明を制限するためのものではない。
【００１５】
本発明の説明において、理解すべきなのは、用語「長さ」「幅」「厚さ」「上」「下」「前」「後」「左」「右」「底」「内」「外」「周方向」等で示す方位又は位置関係は図面で示す方位又は位置関係に基づくものであり、本発明を説明しやすくする及び説明を簡素化するためのものに過ぎず、指す装置又は部品が特定の方位を有し、特定の方位で構成し及び操作しなければならないことを指示又は示唆するためのものではなく、従って本発明を制限するためのものであると理解すべきではない。
【００１６】
なお、用語「第１」「第２」は説明のみに用いられ、相対的重要性を指示又は示唆し、又は指示する技術的特徴の数を暗示的に示すと理解すべきではない。これにより、「第１」「第２」で制限した特徴は少なくとも１つの該特徴を明示的又は暗示的に含んでもよい。本発明の説明において、特に断りがない限り、「複数」の意味は少なくとも２つ、例えば２つ、３つ等である。
【００１７】
本発明において、特に断りがない限り、用語「取付」「連結」「接続」「固定」等を広義で理解すべきであり、例えば、固定接続であってもよいし、取り外し可能な接続又は一体であってもよく、機械的接続であってもよいし、電気的接続又は相互通信可能であってもよく、直接接続であってもよいし、中間媒体による間接接続であってもよく、更に２つの部品の内部連通又は２つの部品の相互作用関係であってもよい。当業者であれば、具体的な状況に応じて上記用語の本発明における具体的な意味を理解することができる。
【００１８】
以下、図１〜図１０を参照しながら本発明の実施例に係る電源インタフェースを詳しく説明する。電源インタフェースが充電又はデータ伝送用のインタフェースであってもよく、電源インタフェースが携帯電話、タブレットＰＣ、ノートパソコン又は他の充電機能を有するモバイル端末に設けられてもよく、電気信号、データ信号の通信接続を実現するように、電源インタフェースが対応するａ電源アダプタに電気的に接続されてもよいと説明すべきである。
【００１９】
図１〜図１０に示すように、本発明の実施例に係る電源インタフェース１００は本体部１１０、データピンｐｉｎ１２０、電源ピンｐｉｎ１３０及び絶縁間隔層１３９を備える。
【００２０】
具体的には、本体部１１０が回路基板との接続に適し、データピンｐｉｎ１２０が隔てられている複数であって、本体部１１０に接続される。電源ピンｐｉｎ１３０が隔てられている複数であって、本体部１１０に接続されてもよい。電源ピンｐｉｎ１３０及びデータピンｐｉｎ１２０が間隔を置いて配置されている。複数の電源ピンｐｉｎ１３０のうち少なくとも１つが広幅領域１３２を含み、電源ピンｐｉｎ１３０の電流負荷量を増加させるように、広幅領域１３２の断面積をデータピンｐｉｎ１２０の断面積より大きくする。
【００２１】
電源インタフェース１００がモバイル端末に設けられてもよく、モバイル端末（例えば携帯電話、タブレットＰＣ、ノートパソコン等）の内部に電池が設けられてもよく、外部電源が電源インタフェース１００によって電池を充電することができると説明すべきである。電源インタフェース１００によって高速で充電するとき、広幅領域１３２を有する電源ピンｐｉｎ１３０はより大きな充電電流を負荷することに用いられてもよく、電源インタフェース１００によって通常充電するとき、広幅領域１３２における凹部１３３によって電源ピンｐｉｎ１３０が電源アダプタにおける対応するピンｐｉｎに接触することを避けることができる。これにより、本実施例における電源インタフェース１００を様々な電源アダプタに適用させることができる。例えば、電源インタフェース１００によって高速で充電するとき、電源インタフェース１００が対応する高速充電機能を有する電源アダプタに電気的に接続されてもよく、電源インタフェース１００によって通常充電するとき、電源インタフェース１００が対応する通常の電源アダプタに電気的に接続されてもよい。ここで、高速充電とは充電電流が２．５Ａ以上の充電状態又は定格出力電力が１５Ｗ以上の充電状態を意味してもよく、通常充電とは充電電流が２．５Ａ未満の充電状態又は定格出力電力が１５Ｗ未満の充電状態を意味してもよいと説明すべきである。
【００２２】
電源インタフェース１００の使用安定性を向上させるために、凹部１３３内に絶縁間隔層１３９が充填されてもよい。これにより、電源インタフェース１００によって通常充電するとき、絶縁間隔層１３９によって電源ピンｐｉｎ１３０を効果的に電源アダプタにおける対応するピンｐｉｎと隔てることができ、それにより広幅領域１３２が電源アダプタにおけるピンｐｉｎに充電妨害を与えることを避け、従って電源インタフェース１００の通常の充電電源アダプタに対する適応性を向上させ、電源インタフェース１００の通常の充電状態における安定性を向上させることができる。絶縁間隔層１３９が絶縁熱伝導材料で製造されてもよい。
【００２３】
図７、図８に示すように、絶縁間隔層１３９の凹部１３３における付着性を向上させるために、凹部１３３の内壁面にザラザラ部１４０が設けられてもよい。これにより、絶縁間隔層１３９と凹部１３３との接触面積を増加させることができ、それにより絶縁間隔層１３９を凹部１３３内に安定して付着させることができる。
【００２４】
本発明の実施例に係る電源インタフェース１００は、電源ピンｐｉｎ１３０に広幅領域１３２を設置することにより、電源ピンｐｉｎ１３０の電流負荷量を増加させることができ、それにより電流の伝送速度を向上させ、電源インタフェース１００に高速充電機能を有させ、電池への充電効率を向上させることができる。また、広幅領域１３２に凹部１３３を設置して、凹部１３３内にザラザラ部１４０を設置することにより、絶縁間隔層１３９と凹部１３３との接触面積を増加させることができ、それにより絶縁間隔層１３９を凹部１３３内に安定して付着させることができる。
【００２５】
本発明のいくつかの例において、図７に示すように、ザラザラ部１４０が突起部に形成されてもよく、凹部１３３内の突起部を絶縁間隔層１３９内に嵌め込んでもよく、それにより絶縁間隔層１３９を凹部１３３内にしっかりと付着させることができ、本発明の他の実施例において、図８に示すように、ザラザラ部１４０が溝に形成されてもよく、絶縁間隔層１３９を溝の内部に充填してもよく、本発明のいくつかの実施例において、ザラザラ部１４０が更にザラザラ面に形成されてもよい。
【００２６】
本発明の一実施例によれば、広幅領域１３２の断面積がＳであり、Ｓ≧０．０９８０５ｍｍ２。実験的検証によって、Ｓ≧０．０９８０５ｍｍ２時、電源ピンｐｉｎ１３０の電流負荷量が少なくとも１０Ａであり、これにより、電源ピンｐｉｎ１３０の電流負荷量を増加させることで、充電効率を向上させることができる。さらなる実験的検証によって、Ｓ＝０．１３１２５ｍｍ２時、電源ピンｐｉｎ１３０の電流負荷量が１２Ａ又はそれ以上であり、これにより、充電効率を向上させることができる。
【００２７】
本発明の一実施例によれば、電源ピンｐｉｎ１３０の厚さがＤであり、０．１ｍｍ≦Ｄ≦０．３ｍｍ。実験的検証によって、０．１ｍｍ≦Ｄ≦０．３ｍｍ時、電源ピンｐｉｎ１３０の電流負荷量が少なくとも１０Ａであり、これにより、電源ピンｐｉｎ１３０の電流負荷量を増加させることで、充電効率を向上させることができる。さらなる実験的検証によって、Ｄ＝０．２５ｍｍ時、電源ピンｐｉｎ１３０の電流負荷量を大幅に増加させることができ、電源ピンｐｉｎ１３０の電流負荷量が１２Ａ又はそれ以上であり、従って充電効率を向上させることができる。
【００２８】
本発明の一実施例によれば、図６、図１０に示すように、広幅領域１３２の幅がＷ１であり、凹部１３３の広幅領域１３２における幅がＷ２であり、０．２４ｍｍ≦Ｗ１−Ｗ２≦０．３２ｍｍ。実験的検証によって、０．２４ｍｍ≦Ｗ１−Ｗ２≦０．３２ｍｍ時、電源ピンｐｉｎ１３０の電流負荷量が少なくとも１０Ａであり、これにより、電源ピンｐｉｎ１３０の電流負荷量を増加させることで、充電効率を向上させることができる。さらなる実験的検証によって、Ｗ１−Ｗ２＝０．２５ｍｍ時、電源ピンｐｉｎ１３０の電流負荷量を大幅に増加させることができ、電源ピンｐｉｎ１３０の電流負荷量が１２Ａ又はそれ以上であり、従って充電効率を向上させることができる。
【００２９】
例えば、図６、図１０に示すように、電源ピンｐｉｎ１３０が第１側壁１３４を有し、凹部１３３が第１側壁１３４の右側（図６、図１０に示す右側）の近傍位置に形成され、第１側壁１３４の凹部１３３を設けた部分以外の部分が接触面に形成され、接触面が電源アダプタとの電気的接続に適し、広幅領域１３２の幅方向（図６、図１０に示す左右方向）において、接触面の幅がＷであり、広幅領域１３２の幅がＷ１であり、凹部１３３の幅がＷ２であり、Ｗ＝Ｗ１−Ｗ２（０．２４ｍｍ≦Ｗ≦０．３２ｍｍ）。実験的検証によって、０．２４ｍｍ≦Ｗ≦０．３２ｍｍ時、電源ピンｐｉｎ１３０の電流負荷量が少なくとも１０Ａであり、これにより、電源ピンｐｉｎ１３０の電流負荷量を増加させることで、充電効率を向上させることができる。さらなる実験的検証によって、Ｗ＝０．２５ｍｍ時、電源ピンｐｉｎ１３０の電流負荷量を大幅に増加させることができ、電源ピンｐｉｎ１３０の電流負荷量が１２Ａ又はそれ以上であり、従って充電効率を向上させることができる。
【００３０】
本発明の一実施例によれば、図２に示すように、広幅領域１３２が電源ピンｐｉｎ１３０の中央に位置してもよい。これにより、複数の電源ピンｐｉｎ１３０及び複数のデータピンｐｉｎ１２０の配置を最適化し、電源インタフェース１００のスペースを活用することができ、それにより電源インタフェース１００の構造的コンパクト性及び合理性を向上させることができる。
【００３１】
本発明のいくつかの実施例によれば、凹部１３３が広幅領域１３２の少なくとも片側の側壁を貫通する。電源インタフェース１００を様々なタイプの電源アダプタに適用させることができる一方、加工しやすいため、加工プロセスを簡素化することができる。更に、広幅領域１３２の凹部１３３に貫通された側壁が第１壁面１３６であり、凹部１３３の広幅領域１３２を貫通した壁面が第２壁面１３７であり、第１壁面１３６と第２壁面１３７との交差位置に面取り１３８が設けられる。面取り１３８の設置によって、凹部１３３と絶縁間隔層１３９との接触面積を増加させ、絶縁間隔層１３９の凹部１３３における付着強度を向上させることができるだけでなく、更に電源ピンｐｉｎ１３０の外表面を円滑に移行させることができると説明すべきである。また、プレスプロセスを利用して電源ピンｐｉｎ１３０を加工する必要があるとき、面取り１３８部位は更にプレス中に生じた余剰材料を収納することに用いられてもよく、それにより電源ピンｐｉｎ１３０の外表面の平滑性を向上させることができる。
【００３２】
本発明のいくつかの実施例によれば、図１０に示すように、凹部１３３が１つであってもよく、１つの凹部１３３が広幅領域１３２の第１側壁１３４に位置し、第１側壁１３４が導電部材との電気的接続に適する。電源インタフェース１００が電源アダプタに電気的に接続されるとき、電源アダプタにおける対応するピンｐｉｎが導電部材として電源ピンｐｉｎ１３０の第１側壁１３４に電気的に接続されると説明すべきである。電源インタフェース１００が電源アダプタに電気的に接続されるとき、電源アダプタにおける対応するピンｐｉｎが電源ピンｐｉｎ１３０の第１側壁１３４に密着され、それにより電源インタフェース１００と電源アダプタとの安定した電気的接続を実現することができると理解される。
【００３３】
本発明の他の実施例によれば、凹部１３３が更に２つであってもよく、２つの凹部１３３がそれぞれ広幅領域１３２の第１側壁１３４及び第２側壁１３５に位置し、第１側壁１３４が導電部材との電気的接続に適し、第２側壁１３５が第１側壁１３４に対向し、２つの凹部１３３が広幅領域１３２の幅方向に間隔を置いて配置されている。例えば、図４〜図８に示すように、広幅領域１３２の幅方向が図４〜図８に示す左右方向であってもよく、第１側壁１３４が電源インタフェース１００の外側（図４に示す外側方向）に向かっており、第２側壁１３５が電源インタフェース１００の内側（図４に示す内側方向）に向かっており、２つの凹部１３３が左右方向に間隔を置いて配置されており、一方の凹部１３３が第１側壁１３４に位置し、他方の凹部１３３が第２側壁１３５に位置する。
【００３４】
本発明のいくつかの例において、図９に示すように、２つの凹部１３３がそれぞれ第１凹部１３３ａ及び第２凹部１３３ｂであり、第１凹部１３３ａの左側壁が第２凹部１３３ｂの右側壁と同一平面内に位置する。これにより、凹部１３３の加工に役立つ。凹部１３３がプレスにより形成されてもよく、例えば、２回のプレスにより第１凹部１３３ａ及び第２凹部１３３ｂを形成してもよく、具体的に、まず第１側壁１３４に対して１回目のプレスを行って、第１凹部１３３ａを形成し、次に第２側壁１３５に対して２回目のプレスを行って、第２凹部１３３ｂを形成すると説明すべきである。更に、例えば、一次プレスにより第１凹部１３３ａ及び第２凹部１３３ｂを形成してもよく、具体的に、固定金型には凹部に適合する突起を設置することにより、プレス中に第１凹部１３３ａ及び第２凹部１３３ｂを同時に形成することができる。
【００３５】
以下、図１〜図１０を参照しながら本発明の実施例に係る電源インタフェース１００を詳しく説明する。下記説明は例示的なものに過ぎず、本発明を具体的に制限するためのものではないと理解すべきである。
【００３６】
説明しやすくするために、電源インタフェース１００がＴｙｐｅ−Ｃである場合を例とする。Ｔｙｐｅ−Ｃインタフェースの完全な名称はＵＳＢ  Ｔｙｐｅ−Ｃインタフェースであり、インタフェース形式であって、ＵＳＢ標準化組織がＵＳＢインタフェースの従来の物理インタフェース規格が統一されず、電力の一方向に伝送しかできないといった欠点を解決するために定めた新しいデータ、ビデオ、オーディオ、電力伝送インタフェース規格である。
【００３７】
Ｔｙｐｃ−Ｃの特徴は、いずれの標準仕様の装置がインタフェース規格におけるＣＣピンによって、ＶＢＵＳを占有する意欲を接続される他方に主張することができ（つまり、従来ＵＳＢの正面の接続線）、意欲のより強い方が最終的にＶＢＵＳに電圧及び電流を出力し、この場合、他方がＶＢＵＳバスの給電を受け、又は給電を受けることを依然として拒否するが、伝送機能に影響しないことである。このバス定義を容易に利用できるために、Ｔｙｐｅ−Ｃインタフェースチップ（例えばＬＤＲ６０１３）は一般的に装置をＤＦＰ、Ｓｔｒｏｎｇ  ＤＲＰ、ＤＲＰ、ＵＦＰの４つのロールに分ける。この４つのロールがＶＢＵＳバスを占有する意欲は順に逓減する。
【００３８】
ＤＦＰはアダプタに相当し、ＶＢＵＳに電圧を持続的に出力したがり、Ｓｔｒｏｎｇ  ＤＲＰはモバイルバッテリーに相当し、アダプタに遭う時のみ、ＶＢＵＳの出力を止める。ＤＲＰは携帯電話に相当し、通常の状況において、いずれも相手から給電するように望まれるが、自体より弱い装置に遭う時、相手に無理に出力し、ＵＦＰは外部に電力を出力せず、一般的に弱電池装置、又は電池無しの装置、例えばワイヤレスイヤホンである。ＵＳＢ  Ｔｙｐｅ−Ｃは正面挿入・裏面挿入をサポートし、正面・裏面に合計して４組の電源及び地を有するため、サポートできる電力を大幅に向上させることができる。
【００３９】
本実施例における電源インタフェース１００はＵＳＢ  Ｔｙｐｅ−Ｃインタフェースであってもよく、高速充電機能を有する電源アダプタに適用するだけでなく、通常の電源アダプタにも適用する。ここで、高速充電とは充電電流が２．５Ａを超える充電状態を意味してもよく、通常充電とは充電電流が２．５Ａ以下の充電状態を意味してもよいと説明すべきである。つまり、高速充電機能を有する電源アダプタを利用して電源インタフェース１００によって充電するとき、充電電流が２．５Ａ以上であり又は定格出力電力が１５Ｗ以上であり、通常の電源アダプタを利用して電源インタフェース１００によって充電するとき、充電電流が２．５Ａ未満であり又は定格出力電力が１５Ｗ未満である。
【００４０】
電源インタフェース１００、電源インタフェース１００に適合する電源アダプタを標準化するために、電源インタフェース１００の寸法に基準インタフェースの設計要件を満たさせる。例えば、ピンｐｉｎの個数が２４である電源インタフェース１００において、その設計において要求される幅（電源インタフェース１００の左右方向における幅、例えば図１に示す左右方向）がａであり、本実施例における電源インタフェース１００に設計基準を満たさせるために、本実施例における電源インタフェース１００の幅（電源インタフェース１００の左右方向における幅、例えば図１に示す左右方向）もａである。電源ピンｐｉｎ１３０が限られたスペース内により大きな充電電流を負荷できるために、２４個のピンｐｉｎのうち一部のピンｐｉを省くとともに、電源ピンｐｉｎ１３０の断面積を増加させることにより、より大きな充電電流を負荷することに用いられ、それにより高速充電機能を容易に実現することができ、電源ピンｐｉｎ１３０の増加部分を省かれたピンｐｉｎの位置に配置してもよく、電源インタフェース１００の部材の配置の最適化を実現する一方、電源ピンｐｉｎ１３０の電流負荷量を増加させる。
【００４１】
具体的に、図１〜図３に示すように、電源インタフェース１００は本体部１１０、６つのデータピンｐｉｎ１２０及び８つの電源ピンｐｉｎ１３０を備える。６つのデータピンｐｉｎ１２０がそれぞれＡ５、Ａ６、Ａ７、Ｂ５、Ｂ６、Ｂ７であり、８つの電源ピンｐｉｎ１３０がそれぞれＡ１、Ａ４、Ａ９、Ａ１２、Ｂ１、Ｂ４、Ｂ９、Ｂ１２であり、８つの電源ピンｐｉｎ１３０は４つのＶＢＵＳ及び４つのＧＮＤを含む。対向する２つのＧＮＤの間に中間パッチ１５０がクランプされ、電源インタフェース１００がモバイル端末に設けられてもよく、モバイル端末（例えば携帯電話、タブレットＰＣ、ノートパソコン等）の内部に電池が設けられてもよく、外部電源が電源アダプタによって電源インタフェース１００に接続され、更に電池を充電することができると説明すべきである。
【００４２】
本体部１１０が回路基板との接続に適し、データピンｐｉｎ１２０が隔てられている複数であって、本体部１１０に接続される。電源ピンｐｉｎ１３０が隔てられている複数であって、本体部１１０に接続されてもよい。電源ピンｐｉｎ１３０及びデータピンｐｉｎ１２０が間隔を置いて配置されている。複数の電源ピンｐｉｎ１３０のうち少なくとも１つが広幅領域１３２を含み、広幅領域１３２が電源ピンｐｉｎ１３０の中央に位置し、電源ピンｐｉｎ１３０の電流負荷量を増加させるように、広幅領域１３２の断面積をデータピンｐｉｎ１２０の断面積より大きくする。広幅領域１３２が省かれたピンｐｉｎの位置を占有してもよく、電源ピンｐｉｎ１３０の負荷できる充電電流を増加させることができる一方、電源インタフェース１００のスペース利用率を向上させることができる。
【００４３】
図６、図１０に示すように、電源ピンｐｉｎ１３０の電流負荷量が少なくとも１２Ａであり、従って充電効率を向上させることができる。更に、図１０に示すように、Ｗ＝０．２５ｍｍ時、電源ピンｐｉｎ１３０の電流負荷量が１４Ａ又はそれ以上であってもよく、従って充電効率を向上させることができる。
【００４４】
図６、図１０に示すように、電源ピンｐｉｎ１３０が第１側壁１３４を有し、凹部１３３が第１側壁１３４の右側（図６、図１０に示す右側）の近傍位置に形成され、第１側壁１３４の凹部１３３を設けた部分以外の部分が接触面を形成し、接触面が電源アダプタとの電気的接続に適し、広幅領域１３２の幅方向（図６、図１０に示す左右方向）において、接触面の幅がＷであり、広幅領域１３２の幅がＷ１であり、凹部１３３の幅がＷ２であり、Ｗ＝Ｗ１−Ｗ２、実験的検証によって、Ｗ＝０．２５ｍｍ時、電源ピンｐｉｎ１３０の電流負荷量を大幅に増加させることができ、電源ピンｐｉｎ１３０の電流負荷量が１０Ａ、１２Ａ、１４Ａ又はそれ以上であってもよく、従って充電効率を向上させることができる。
【００４５】
図４〜図８に示すように、電源ピンｐｉｎ１３０の部分の外表面、データピンｐｉｎ１２０を被覆している外表面に被覆部が被覆され、被覆部が絶縁熱伝導材料で製造されてもよい。広幅領域１３２の電源ピンｐｉｎ１３０先端１３１の近傍位置に凹部１３３が設けられ、凹部１３３内に被覆部が充填されてもよい。凹部１３３の内壁面にザラザラ面が設けられてもよく、これにより、被覆部と凹部１３３との接触面積を増加させることができ、それにより被覆部を凹部１３３内に安定して付着させることができる。
【００４６】
電源インタフェース１００によって高速で充電するとき、広幅領域１３２を有する電源ピンｐｉｎ１３０はより大きな充電電流を負荷することに用いられてもよく、電源インタフェース１００によって通常充電するとき、凹部１３３内に充填される被覆部によって電源ピンｐｉｎ１３０が電源アダプタにおける対応するピンｐｉｎに接触することを避けることができると説明すべきである。これにより、本実施例における電源インタフェース１００を様々な電源アダプタに適用させることができる。
【００４７】
図６に示すように、凹部１３３が２つであってもよく、２つの凹部１３３が左右方向（図４〜図８に示す左右方向）に間隔を置いて配置されている。図４、図５に示すように、第２側壁１３５が第１側壁１３４に対向し、第１側壁１３４が導電部材との電気的接続に適して、電源インタフェース１００の外側（図４に示す外側方向）に向かっており、第２側壁１３５が第１側壁１３４に対向して、電源インタフェース１００の内側（図４に示す内側方向）に向かっており、一方の凹部１３３が第１側壁１３４に位置し、他方の凹部１３３が第２側壁１３５に位置する。
【００４８】
図６に示すように、凹部１３３が広幅領域１３２の少なくとも片側の側壁を貫通する。電源インタフェース１００を様々なタイプの電源アダプタに適用させることができる一方、加工しやすいため、加工プロセスを簡素化することができる。更に、広幅領域１３２の凹部１３３に貫通された側壁が第１壁面１３６であり、凹部１３３の広幅領域１３２を貫通した壁面が第２壁面１３７であり、第１壁面１３６と第２壁面１３７との交差位置に面取り１３８が設けられる。面取り１３８の設置によって、凹部１３３と絶縁間隔層１３９との接触面積を増加させ、絶縁間隔層１３９の凹部１３３における付着強度を向上させることができるだけでなく、更に電源ピンｐｉｎ１３０の外表面を円滑に移行させることができると説明すべきである。また、プレスプロセスを利用して電源ピンｐｉｎ１３０を加工する必要があるとき、面取り１３８部位は更にプレス中に生じた余剰材料を収納することに用いられてもよく、それにより電源ピンｐｉｎ１３０の外表面の平滑性を向上させることができる。
【００４９】
これにより、電源ピンｐｉｎ１３０に広幅領域１３２を設置することにより、電源ピンｐｉｎ１３０の電流負荷量を増加させることができ、それにより電流の伝送速度を向上させ、電源インタフェース１００に高速充電機能を有させ、電池への充電効率を向上させることができる。
【００５０】
本発明の実施例に係るモバイル端末は以上に記載の電源インタフェース１００を備える。モバイル端末は電源インタフェース１００によって電気信号、データ信号の伝送を実現することができる。例えば、モバイル端末は電源インタフェース１００と電源アダプタとの電気的接続によって充電又はデータ伝送機能を実現することができる。
【００５１】
本発明の実施例に係るモバイル端末は、電源ピンｐｉｎ１３０に広幅領域１３２を設置することにより、電源ピンｐｉｎ１３０の電流負荷量を増加させることができ、それにより電流の伝送速度を向上させ、電源インタフェース１００に高速充電機能を有させることができ、更に電池への充電効率を向上させることができる。
【００５２】
本発明の実施例に係る電源アダプタは以上に記載の電源インタフェース１００を備える。モバイル端末は電源インタフェース１００によって電気信号、データ信号の伝送を実現することができる。
【００５３】
本発明の実施例に係る電源アダプタは、電源ピンｐｉｎ１３０に広幅領域１３２を設置することにより、電源ピンｐｉｎ１３０の電流負荷量を増加させることができ、それにより電流の伝送速度を向上させ、電源インタフェース１００に高速充電機能を有させることができ、更に電池への充電効率を向上させることができる。
【００５４】
本明細書の説明において、用語「一実施例」「いくつかの実施例」「例」「具体例」又は「いくつかの例」等の説明は該実施例又は例を参照して説明した具体的な特徴、構造、材料又は特性が本発明の少なくとも１つの実施例又は例に含まれることを意味する。本明細書において、上記用語の模式的な説明は同じ実施例又は例に対するものでなくてもよい。且つ、説明される具体的な特徴、構造、材料又は特性はいずれか１つ又は複数の実施例又は例において適切な方式で結合してもよい。なお、矛盾しない限り、当業者は本明細書に説明される様々な実施例又は例、及び様々な実施例又は例の特徴を結合及び組み合わせすることができる。
【００５５】
以上は本発明の実施例を示し及び説明したが、上記実施例は例示的なものであって、本発明を制限するためのものではなく、当業者は本発明の範囲内に上記実施例に対して変更、修正、置換及び変形を行うことができると理解される。
【符号の説明】
【００５６】
１００  電源インタフェース
１１０  本体部
１２０  データピンｐｉｎ
１３０  電源ピンｐｉｎ
１３１  先端
１３２  広幅領域
１３３  凹部
１３４  第１側壁
１３５  第２側壁
１３６  第１壁面
１３７  第２壁面
１３８  面取り
１３９  絶縁間隔層
１４０  ザラザラ部
１５０  中間パッチ
【図１】
2019530133.tif 000003
【図２】
2019530133.tif 000004
【図３】
2019530133.tif 000005
【図４】
2019530133.tif 000006
【図５】
2019530133.tif 000007
【図６】
2019530133.tif 000008
【図７】
2019530133.tif 000009
【図８】
2019530133.tif 000010
【図９】
2019530133.tif 000011
【図１０】
2019530133.tif 000012
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
電源インタフェースであって、
回路基板との接続に適する本体部と、
前記本体部に接続され、互いに隔てられている複数のデータピンｐｉｎと、
前記本体部に接続され、前記データピンｐｉｎと隔てられ、互いに隔てられている複数の電源ピンｐｉｎであって、前記複数の電源ピンｐｉｎのうち少なくとも１つが広幅領域を含み、前記電源ピンｐｉｎの電流負荷量を増加させるように、前記広幅領域の断面積を前記データピンｐｉｎの断面積より大きくし、前記広幅領域の前記電源ピンｐｉｎ先端の近傍位置に凹部が設けられ、前記凹部の内壁面にザラザラ部が設けられる、電源ピンｐｉｎと、
前記凹部内に敷設される絶縁間隔層と、を備えることを特徴とする、電源インタフェース。
【請求項２】
前記広幅領域の断面積がＳであり、前記Ｓ≧０．０９８０５ｍｍ２であることを特徴とする
請求項１に記載の電源インタフェース。
【請求項３】
前記広幅領域の幅がＷ１であり、前記凹部の前記広幅領域における幅がＷ２であり、前記Ｗ１と前記Ｗ２とが、０．２４ｍｍ≦Ｗ１−Ｗ２≦０．３２ｍｍという条件を満たすことを特徴とする
請求項１〜２のいずれか１項に記載の電源インタフェース。
【請求項４】
前記凹部が１つであり、前記広幅領域の第１側壁に位置し、前記第１側壁が導電部材との電気的接続に適することを特徴とする
請求項１〜３のいずれか１項に記載の電源インタフェース。
【請求項５】
前記凹部が２つであり、２つの前記凹部がそれぞれ前記広幅領域の第１側壁及び第２側壁に位置し、前記第１側壁が導電部材との電気的接続に適し、前記第２側壁が前記第１側壁に対向して設置され、２つの前記凹部が前記広幅領域の幅方向に間隔を置いて配置されていることを特徴とする
請求項１〜４のいずれか１項に記載の電源インタフェース。
【請求項６】
前記凹部が前記広幅領域の少なくとも片側の側壁を貫通することを特徴とする
請求項１〜５のいずれか１項に記載の電源インタフェース。
【請求項７】
前記広幅領域の前記凹部により貫通された側壁が第１壁面であり、前記凹部の前記広幅領域を貫通した壁面が第２壁面であり、前記第１壁面と前記第２壁面との交差位置に面取りが設けられることを特徴とする
請求項６に記載の電源インタフェース。
【請求項８】
前記凹部内に絶縁間隔層が充填されていることを特徴とする
請求項１〜７のいずれか１項に記載の電源インタフェース。
【請求項９】
前記ザラザラ部が突起部又は溝に形成されることを特徴とする
請求項１〜８のいずれか１項に記載の電源インタフェース。
【請求項１０】
前記ザラザラ部がザラザラ面に形成されることを特徴とする
請求項１〜９のいずれか１項に記載の電源インタフェース。
【請求項１１】
前記広幅領域が前記電源ピンｐｉｎの中央に位置することを特徴とする
請求項１〜１０のいずれか１項に記載の電源インタフェース。
【請求項１２】
前記絶縁間隔層が絶縁熱伝導材料で製造されることを特徴とする
請求項１に記載の電源インタフェース。
【請求項１３】
前記電源ピンｐｉｎの部分の外表面、前記データピンｐｉｎを被覆している外表面に被覆部が被覆され、前記被覆部が絶縁熱伝導材料で製造されることを特徴とする
請求項１に記載の電源インタフェース。
【請求項１４】
モバイル端末であって、
請求項１〜１１のいずれか１項に記載の電源インタフェースを備えることを特徴とする、モバイル端末。
【請求項１５】
電源アダプタであって、
請求項１〜１１のいずれか１項に記載の電源インタフェースを備えることを特徴とする、電源アダプタ。
【国際調査報告】
2019530133.tif 000013
2019530133.tif 000014
2019530133.tif 000015
2019530133.tif 000016